(57)【要約】【課題】リサイクル作業機から発生する騒音を抑止する。【解決手段】供給フィーダ７０は、自走式破砕機１００の外部の空間から投入開口４４が面した空間への木材の供給を行うとともに、破砕装置４０から発せられる音を破砕装置４０の投入開口４４側で遮音する。排出装置９０は、排出開口４６が面した空間から自走式破砕機１００の外部の空間への木片の排出を行うとともに、破砕装置４０から発せられる音を破砕装置４０の排出開口４６側で遮音する。したがって、破砕装置４０の内部で発生した騒音の伝達経路が遮断されるので、自走式破砕機１００の外部への騒音伝達が抑制される。【選択図】図４
2007307453.tif 000002
【特許請求の範囲】
【請求項１】
被処理物を処理する処理手段と、
前記処理手段の投入開口側および／または排出開口側で、前記処理手段から発せられる音を遮音する遮音手段とを備えることを特徴とするリサイクル作業機。
【請求項２】
請求項１に記載のリサイクル作業機において、
前記遮音手段は、前記投入開口側の開口および／または前記排出開口側の開口を遮蔽することで、前記処理手段から発せられる音を遮音することを特徴とするリサイクル作業機。
【請求項３】
請求項１または請求項２に記載のリサイクル作業機において、
前記遮音手段は、前記投入開口側に設けられると前記被処理物を前記処理手段へ供給する供給機構を備え、前記排出開口側に設けられると前記処理手段で処理された処理物を外部へ排出する排出機構を備えることを特徴とするリサイクル作業機。
【請求項４】
請求項３に記載のリサイクル作業機において、
前記遮音手段は、ロータリフィーダであることを特徴とするリサイクル作業機。
【請求項５】
走行装置と、
前記走行装置に搭載されて被処理物を破砕する破砕手段と、
前記破砕手段で破砕された処理物を搬出する搬出手段と、
前記破砕手段の投入開口側および／または前記搬出手段の排出開口側に設けられて、前記破砕手段から発せられる音を遮音する遮音手段とを備えることを特徴とするリサイクル作業機。
【発明の詳細な説明】
【技術分野】
【０００１】
本発明は、被処理物を処理するリサイクル作業機に関する。
【背景技術】
【０００２】
被処理物を処理するリサイクル作業機が知られている。このリサイクル作業機では、供給部の開口から投入された被処理物を破砕して排出部の開口から排出している（特許文献１参照）。
【０００３】
【特許文献１】特開平９−２２０４８９号公報
【発明の開示】
【発明が解決しようとする課題】
【０００４】
しかし、従来のリサイクル作業機では、破砕装置の投入側開口が開放状態となっているため、破砕装置で被処理物が破砕される際の騒音が周囲に伝達されてしまう。
【課題を解決するための手段】
【０００５】
（１）  請求項１の発明によるリサイクル作業機は、被処理物を処理する処理手段と、処理手段の投入開口側および／または排出開口側で、処理手段から発せられる音を遮音する遮音手段とを備えることを特徴とする。
（２）  請求項２の発明は、請求項１に記載のリサイクル作業機において、遮音手段は、投入開口側の開口および／または排出開口側の開口を遮蔽することで、処理手段から発せられる音を遮音することを特徴とする。
（３）  請求項３の発明は、請求項１または請求項２に記載のリサイクル作業機において、遮音手段は、投入開口側に設けられると被処理物を処理手段へ供給する供給機構を備え、排出開口側に設けられると処理手段で処理された処理物を外部へ排出する排出機構を備えることを特徴とする。
（４）  請求項４の発明は、請求項３に記載のリサイクル作業機において、遮音手段は、ロータリフィーダであることを特徴とする。
（５）  請求項５の発明によるリサイクル作業機は、走行装置と、走行装置に搭載されて被処理物を破砕する破砕手段と、破砕手段で破砕された処理物を搬出する搬出手段と、破砕手段の投入開口側および／または搬出手段の排出開口側に設けられて、破砕手段から発せられる音を遮音する遮音手段とを備えることを特徴とする。
【発明の効果】
【０００６】
本発明によれば、処理手段の投入開口側および／または排出開口側で、処理手段から発せられる音を遮音するように構成した。これにより、処理手段の内部で発生した騒音の伝達経路が遮断されるので、リサイクル作業機から発生する騒音を抑止でき、騒音規制が設けられている地域や、住宅街の近くなどでもリサイクル作業機を稼働できる。
【発明を実施するための最良の形態】
【０００７】
図１〜５を参照して、本発明によるリサイクル作業機の一実施の形態を説明する。図１は、リサイクル作業機の一例としての自走式木材破砕機の側面図であり、図２は、自走式木材破砕機の平面図であり、図３は、自走式木材破砕機の背面図である。自走式木材破砕機１００は、被処理物である木材を破砕してチップ化する装置である。自走式破砕機１００は、走行体１０と、フレーム２０と、油圧ユニット３０と、破砕装置４０と、供給コンベア５０と、圧縮ローラ６０と、供給フィーダ７０と、排出コンベア８０と、排出装置９０とを備えている。説明の便宜上、自走式木材破砕機１００の前後左右方向および上下方向を各図に示すように規定する。
【０００８】
走行体１０は、左右一対の履帯１１を備え、履帯１１は走行モータ１２により駆動される。フレーム２０は、走行体１０の上部に設けられて、各機器を支持する。油圧ユニット３０は、フレーム２０の前方側に支持されている。図示はしないが、この油圧ユニット３０には、自走式木材破砕機１００の駆動源であるエンジンや、このエンジンにより駆動される少なくとも１つの油圧ポンプ、この油圧ポンプから各駆動装置に供給される圧油を制御する複数のコントロールバルブ等が内蔵されており、自走式木材破砕機１００の各部に圧油を供給する。
【０００９】
図４は、自走式破砕機１００の木材の破砕に関する構造を模式的に示した図である。破砕装置４０は、自走式破砕機１００の左右方向に延在する軸を中心に回転する破砕ロータ４１を有する破砕装置である。破砕ロータ４１の表面には、木材を破砕する破砕ビット４２が取り付けられている。粉砕装置４０には、破砕ロータ４１の外周面に対向して面する内周面にアンピル４３が取り付けられている。木材は、後述する圧縮ローラ６０および供給フィーダ７０によって投入側の開口（投入開口）４４から供給される。
【００１０】
回転する破砕ロータ４１の破砕ビット４２で破砕されて飛散した木片は、アンビル４３に衝突することによってさらに細かく破砕される。粉砕装置４０の下部には所定の大きさの複数の穴が開けられたスクリーン４５が取り付けられている。破砕ビット４２およびアンビル４３で破砕された木片はスクリーン４５の穴から粉砕装置４０の下方に排出される。なお、４６は、粉砕装置４０の排出側の開口（排出開口）である。破砕装置４０は、投入開口４４および排出開口４６を除き、ケーシング４７によって密閉されている。
【００１１】
圧縮ローラ６０は、自走式破砕機１００の左右方向に延在する軸を中心に回転するローラであり、粉砕装置４０の投入開口４４の近傍で、後述する供給フィーダ７０の排出側の上部に位置するように取り付けられている。圧縮ローラ６０は、供給コンベア５０の上に乗せられて供給コンベア５０が粉砕装置４０の投入開口４４に向かって搬送する木材を上から圧縮するとともに、供給コンベア５０と協働して木材を粉砕装置４０に供給する。
【００１２】
供給コンベア５０は、後述する供給フィーダ７０から供給された木材を破砕装置４０に供給するための供給装置であり、フレーム２０の後方に取り付けられている。供給コンベア５０は、たとえばドラグチェーンコンベアであり、供給フィーダ７０から供給されてドラグチェーン５１上に載置された木材を前方の破砕装置４０に向かって搬送する。供給コンベア５０の周囲はケーシング５２で囲われており、供給コンベア５０へ木材を投入する投入開口５３と、木材を破砕装置４０に向けて排出するための排出開口５４とを除いて密閉されている。なお、上述した圧縮ローラ６０は、排出開口５４の近傍でケーシング５２の内部に配設されている。排出開口５４は、外部と通じる隙間がないように、破砕装置４０の投入開口４４と接続されている。
【００１３】
供給フィーダ７０は、自走式破砕機１００の後方で供給コンベア５０の上部に設けられた供給装置である。供給フィーダ７０は、ロータリフィーダと同様の構造を有している。すなわち、供給フィーダ７０は、自走式破砕機１００の前後方向に延在した水平円筒形状を呈するケーシング７１と、ケーシング７１の内部で回転するロータ７２とを備えている。ロータ７２は、自走式破砕機１００の前後方向に延在する回転軸７２ａと、回転軸７２ａに対して放射状に取り付けられた複数枚（たとえば４枚）の羽根７２ｂとを有する。回転軸７２ａおよび羽根７２ｂは、自走式破砕機１００の前後方向の長さが長くなるように構成されており、長尺の木材を供給可能としている。
【００１４】
ケーシング７１の上部には投入開口７３が設けられ、ケーシング７１の下部には排出開口７４が設けられている。排出開口７４は、外部と通じる隙間がないように、供給コンベア５０の投入開口５３と接続されている。供給フィーダ７０は、排出開口７４が面している、供給コンベア５０のケーシング５２で囲われた内部空間の気密を保ちながら、外部の空間に面した投入開口７３に投入された木材を供給コンベア５０へ供給できる。なお、ロータ７２がケーシング７１の内部で回転するため、ケーシング７１の内面とロータ７２との間には隙間が空いている。そのため、供給コンベア５０のケーシング５２で囲われた内部空間、すなわち、破砕装置４０の投入開口４４が面した空間は、自走式破砕機１００の外部の空間に対して完全に密閉されているわけではないが、実用上十分な程度に気密が保たれる。
【００１５】
排出コンベア８０は、破砕装置４０で破砕された木片を自走式破砕機１００の前方上部へ搬送するベルトコンベアである。排出コンベア８０の周囲はケーシング８１で囲われており、破砕装置４０から木片が投入される投入開口８２と、木片を後述する排出装置９０に向けて排出するための排出開口８３とを除いて密閉されている。投入開口８２は、外部と通じる隙間がないように、破砕装置４０の排出開口４６と接続されている。
【００１６】
排出装置９０は、排出コンベア８０の排出開口８３に取り付けられたロータリフィーダであり、ケーシング９１と、ケーシング９１の内部で回転するロータ９２とを備えている。ロータ９２は、回転軸９２ａと、回転軸９２ａに対して放射状に取り付けられた複数枚羽根９２ｂとを有する。ケーシング９１の上部には投入開口９３が設けられ、ケーシング９１の下部には外部の空間に面した排出開口９４が設けられている。投入開口９３は、外部と通じる隙間がないように、排出コンベア８０の排出開口８３と接続されている。排出装置９０は、上述した供給フィーダ７０と同様に、投入開口９３が面している、排出コンベア８０のケーシング８１で囲われた内部空間の気密を実用上十分な程度に保ちながら、排出コンベア８０によって投入開口９３から投入された木片を排出開口９４から外部に木片を排出できる。このように、排出コンベア８０のケーシング８１で囲われた内部空間、すなわち、破砕装置４０の排出開口４６が面した空間は、自走式破砕機１００の外部の空間に対して、実用上十分な程度に気密が保たれる。
【００１７】
このように構成される自走式破砕機１００は、トレーラに搭載されて処理現場へ搬送される。自走式破砕機１００は、走行体１０を備えて自走可能であるので、トレーラの荷台などにも自力で乗り降りできるともに、現場内を自力で移動可能である。処理現場において、被処理物である木材は、たとえば油圧ショベルに把持用のアタッチメントが取り付けられた作業機械などによって、図４の矢印Ａで示すように、供給フィーダ７０の投入開口７３に投入される。
【００１８】
供給コンベア５０のケーシング５２で囲われた内部空間の気密が保たれた状態で、投入開口７３に投入された木材が、矢印Ｂで示すように、供給コンベア５０のドラグチェーン５１上に投入される。ドラグチェーン５１上に投入された木材は、矢印Ｃで示すように、ドラグチェーン５１とともに前方に移動され、圧縮ローラ６０で圧縮されながら破砕装置４０の投入開口４４から破砕装置４０の内部に供給されて、破砕ロータ４１の破砕ビット４２やアンビル４３によって破砕される。
【００１９】
木材は、破砕装置４０で破砕されて木片となり、スクリーン４５の穴から排出され、排出開口４６および排出コンベア８０の投入開口８２を介して、矢印Ｄで示すように、排出コンベア８０に供給される。排出コンベア８０に供給された木片は、矢印Ｅで示すように、排出コンベア８０で自走式破砕機１００の前部上方に搬送されて、矢印Ｆで示すように、排出装置９０の投入開口９３に投入される。排出コンベア８０のケーシング８１で囲われた内部空間の気密が保たれた状態で、投入開口９３に投入された木片が回転するロータ９２によって、矢印Ｇで示すように排出開口９４から外部に排出される。
【００２０】
処理現場での処理を終えた自走式破砕機１００は、自力でトレーラの荷台などに移動する。その後、自走式破砕機１００はトレーラで搬送される。
【００２１】
−−−破砕装置４０の騒音について−−−
破砕装置４０で木材を破砕する際に発生する粉砕音は、破砕ビット４２およびアンビル４３で木材が粉砕される際に発生する音であり、破砕装置４０のケーシング４７の内部空間で発生して、騒音として破砕装置４０の外部に伝達される。上述のように、破砕装置４０は、投入開口４４および排出開口４６を除き、ケーシング４７によって密閉されているので破砕音は、投入開口４４および排出開口４６から破砕装置４０の外部に伝達される。しかし、上述のように、投入開口４４が面した空間および排出開口４６が面した空間は、自走式破砕機１００の外部の空間に対して、実用上十分な程度に気密が保たれている。
【００２２】
図５に示すように、投入開口４４が面した空間は、供給コンベア５０のケーシング５２および供給フィーダ７０のケーシング７１で囲われ、自走式破砕機１００の外部空間と通じる供給フィーダ７０の投入開口７３がロータ７２によって遮蔽されている。排出開口４６が面した空間は、排出コンベア８０のケーシング８１および排出装置９０のケーシング９１で囲われ、自走式破砕機１００の外部空間と通じる排出装置９０の排出開口９４がロータ９２によって遮蔽されている。なお、図５では、各ケーシング４７，５２，７１，８１，９１を太線で強調している。
【００２３】
このように、供給フィーダ７０は、自走式破砕機１００の外部の空間から投入開口４４が面した空間への木材の供給を行うとともに、破砕装置４０から発せられる音を破砕装置４０の投入開口側で遮音する。排出装置９０は、排出開口４６が面した空間から自走式破砕機１００の外部の空間への木片の排出を行うとともに、破砕装置４０から発せられる音を破砕装置４０の排出開口側で遮音する。したがって、破砕装置４０の内部で発生した騒音の伝達経路が遮断されるので、自走式破砕機１００の外部への騒音伝達が抑制される。
【００２４】
また、木材の破砕に伴い、破砕装置４０から発塵するが、投入開口４４および排出開口４６が面した空間は、外部の空間から隔離された状態となるので、自走式破砕機１００の外部への粉塵飛散は抑制される。
【００２５】
上述した自走式破砕機１００では、次の作用効果を奏する。
（１）  供給フィーダ７０によって、破砕装置４０から発せられる破砕音を破砕装置４０の投入開口側で遮音し、排出装置９０によって、破砕装置４０から発せられる音を破砕装置４０の排出開口側で遮音するように構成した。したがって、破砕装置４０の内部で発生した騒音の伝達経路が遮断されるので、自走式破砕機１００から発生する騒音を抑止できる。これにより、騒音規制が設けられている地域や、住宅街の近くなどでも自走式破砕機１００が稼働可能となる。
【００２６】
（２）  投入開口４４側で自走式破砕機１００の外部空間と通じている供給フィーダ７０の投入開口７３を、供給フィーダ７０のロータ７２によって遮蔽するように構成した。また、排出開口４６側で自走式破砕機１００の外部空間と通じている排出装置９０の排出開口９４を、排出装置９０のロータ９２によって遮蔽するように構成した。これにより、破砕装置４０から発せられる音を簡単な構成で効果的に抑制できる。
【００２７】
（３）  供給フィーダ７０は、自走式破砕機１００の外部の空間から投入開口４４が面した空間への木材の供給を行うとともに、破砕装置４０から発せられる音を破砕装置４０の投入開口４４側で遮音する。排出装置９０は、排出開口４６が面した空間から自走式破砕機１００の外部の空間への木片の排出を行うとともに、破砕装置４０から発せられる音を破砕装置４０の排出開口４６側で遮音する。これにより、簡単な構成で、木材の投入および破砕後の木片の排出と、遮音とを両立できるので、自走式破砕機１００の製造コスト増を抑制できる。
【００２８】
（４）  供給フィーダ７０および排出装置９０にロータリフィーダを用いているので、小型であり、かつ簡単な構成で、破砕装置４０の内部の空間の気密を保ちながら木材や木片を移送するという要請に応えることができる。これにより、自走式破砕機１００の全体の高さや大きさを抑制できる。また、故障が少なく、メンテナンスも容易である。
【００２９】
−−−変形例−−−
（１）  上述の説明では、自走式破砕機１００の破砕装置４０から発せられる騒音の抑制について説明したが、本発明はこれに限定されない。たとえば、図６，７に示すように、固定式の破砕装置の投入開口側および排出開口側にロータリフィーダを配設してもよい。図６は、固定式シュレッダの側面図であり、図７は、図６の背面図である。固定式シュレッダ２００は、破砕装置２４０と、ロータリフィーダ２７０，２９０と、ベルトコンベア２８０とを備えている。
【００３０】
破砕装置２４０は、外周部分に破砕歯が設けられた２本の回転ドラムの間で木材などを破砕する装置である。破砕装置２４０の投入開口２４４には、ロータリフィーダ２７０が取り付けられている。ロータリフィーダ２７０は、破砕装置２４０のケーシング２４７で囲われた内部空間の気密を保ちながら、破砕装置２４０の外部から木材を破砕装置２４０に供給できる。
【００３１】
破砕装置２４０の排出開口２４６には、ロータリフィーダ２９０が取り付けられている。ロータリフィーダ２９０は、破砕装置２４０のケーシング２４７で囲われた内部空間の気密を保ちながら、破砕装置２４０で破砕された木片を破砕装置２４０の外部に排出できる。ベルトコンベア２８０は、ロータリフィーダ２９０から排出された木片を搬送するベルトコンベアであり、上流側の端部近傍がロータリフィーダ２９０の下部に配設されている。
【００３２】
このように構成される固定式シュレッダ２００では、ロータリフィーダ２７０は、固定式シュレッダ２００の外部の空間から破砕装置２４０へ木材の供給を行うとともに、破砕装置２４０から発せられる破砕音を破砕装置２４０の投入開口側で遮音する。ロータリフィーダ２９０は、破砕装置２４０から木片の排出を行うとともに、破砕装置２４０から発せられる破砕音を破砕装置２４０の排出開口側で遮音する。したがって、破砕装置２４０の内部で発生した騒音の伝達経路が遮断されるので、固定式シュレッダ２００の外部への騒音伝達が抑制される。したがって、上述した作用効果と同様の作用効果を奏する。
【００３３】
（２）  上述の説明では、破砕装置４０の投入開口４４側および排出開口４６側でそれぞれ遮音するように構成したが、本発明はこれに限定されない。たとえば、破砕装置４０の投入開口４４側および排出開口４６側のいずれか一方で遮音するように構成してもよい。なお、破砕装置４０で発生する騒音は、排出開口４６側よりも投入開口４４側の方が大きいので、投入開口４４側および排出開口４６側のいずれか一方を遮音する場合には、投入開口４４側を遮音するように構成することが望ましい。
【００３４】
（３）  上述の説明では、供給フィーダ７０および排出装置９０によって破砕装置４０の遮音を行うように構成したが、本発明はこれに限定されない。たとえば、破砕装置４０以外の各種処理装置の投入側および排出側にロータリフィーダを設けて、被処理物の処理装置への供給と、処理物の処理装置からの排出とを行うとともに、処理装置の投入側および排出側での遮音を行うように構成してもよい。処理装置の例としては、篩装置などが挙げられる。走行体１０のように自走可能な走行装置に篩装置を搭載した自走式スクリーンに本発明を適用してもよい。
【００３５】
（４）  上述の説明では、供給フィーダ７０および排出装置９０はロータリフィーダであるが、本発明はこれに限定されない。たとえば、ロータリフィーダの代わりにダブルダンパを用いることで、上述した供給／排出と遮音とを行うようにしてもよい。また、スクリューフィーダのように、搬送対象物自身によって搬送装置の投入側開口の面した空間と、排出側開口の面した空間とを隔てることができる搬送装置を、供給フィーダ７０および排出装置９０の代わりに用いてもよい。
【００３６】
（５）  上述の説明では、供給フィーダ７０および排出装置９０のオンオフについては特に言及していないが、破砕装置４０の破砕処理に合わせて供給フィーダ７０や排出装置９０をオンまたはオフするようにしてもよい。供給フィーダ７０や排出装置９０をオフすることによって、遮音効果はさらに向上する。
【００３７】
（６）  上述の説明では、供給フィーダ７０を破砕装置４０の投入開口４４側の最も上流に設け、排出装置９０を破砕装置４０の排出開口４６側の最も下流に設けているが、本発明はこれに限定されない。破砕装置４０の投入開口４４の上流側であれば、供給フィーダ７０の配設位置は上述した配設位置に限定されない。破砕装置４０の排出開口４６の下流側であれば、排出装置９０の配設位置は上述した配設位置に限定されない。なお、排出装置９０の配設位置は、自走式破砕機１００のスペース効率やメンテナンス性の面から上述した位置が望ましい。
（７）  上述した各実施の形態および変形例は、それぞれ組み合わせてもよい。
【００３８】
以上の実施の形態およびその変形例において、たとえば、処理手段は破砕装置４０，２４０に、遮音手段は供給フィーダ７０、排出装置９０、およびロータリフィーダ２７０，２９０にそれぞれ対応する。走行装置は走行体１０に、破砕手段は破砕装置４０に、搬出手段は排出コンベア８０にそれぞれ対応する。なお、以上の説明はあくまで一例であり、発明を解釈する際、上記の実施形態の記載事項と特許請求の範囲の記載事項の対応関係になんら限定も拘束もされない。
【図面の簡単な説明】
【００３９】
【図１】自走式木材破砕機１００の側面図である。
【図２】自走式木材破砕機１００の平面図である。
【図３】自走式木材破砕機１００の背面図である。
【図４】自走式破砕機１００の木材の破砕に関する構造を模式的に示した図である。
【図５】自走式破砕機１００の木材の破砕に関する構造を模式的に示した図である。
【図６】変形例を示す図である。
【図７】変形例を示す図である。
【符号の説明】
【００４０】
１０  走行体                                ４０，２４０  破砕装置
７０  供給フィーダ                          ８０  排出コンベア
９０  排出装置                              １００  自走式破砕機
２００  固定式シュレッダ                    ２７０，２９０  ロータリフィーダ
【図１】
2007307453.tif 000003
【図２】
2007307453.tif 000004
【図３】
2007307453.tif 000005
【図４】
2007307453.tif 000006
【図５】
2007307453.tif 000007
【図６】
2007307453.tif 000008
【図７】
2007307453.tif 000009